(57)【要約】  【課題】  主制御手段の制御負荷を軽減すると共に、停止図柄態様を決定する図柄決定処理の負荷を軽減し、更には、図柄制御手段の表示制御負荷をも軽減することが可能で、遊技性も高めることが可能な弾球遊技機を提供する。  【解決手段】  表示手段２３に表示される遊技図柄の変動後の停止図柄態様は、第１停止図柄と第２停止図柄とを含み、抽選手段５１の抽選結果に基づいて第１停止図柄を決定する第１停止図柄決定手段５４と、第２停止図柄を決定する第２停止図柄決定手段６１とを設け、抽選手段５１と第１停止図柄決定手段５４とを主制御基板３６上に構成し、第２停止図柄決定手段６１を主制御基板３９に対して別基板構成の副制御基板４０上に構成し、更に、第１停止図柄は、特定態様専用の図柄「◎」と「○」と非特定態様専用の図柄「×」とを含むようにした。【選択図】  図５
2004305780.tif 000002
【特許請求の範囲】
【請求項１】
複数の遊技図柄を変動表示する図柄表示手段(23,60) と、この図柄表示手段(23,60) で表示される遊技図柄の変動後の停止図柄態様を特定態様にするか否か抽選する抽選手段(51)と、図柄表示手段(23,60) により特定態様が表示された場合に遊技者に有利な利益状態を発生させる利益状態発生手段(53)とを備えた弾球遊技機において、
前記停止図柄態様は第１停止図柄と第２停止図柄とを有し、
前記抽選手段(51)の抽選結果に基づいて、前記遊技図柄の変動後の停止図柄態様を構成する第１，第２停止図柄を、予め設定された複数の第１，第２停止図柄の中から決定する第１，第２停止図柄決定手段(54,61) を設け、
前記予め設定された複数の第１停止図柄は、前記特定態様の一部となる特定態様専用の図柄と、前記特定態様以外の非特定態様の一部となる非特定態様専用の図柄のみで構成され、
前記非特定態様専用の図柄は１種類の第１停止図柄からなり、その１種類の第１停止図柄は、最終的に非特定態様が確定する確定停止図柄である、
ことを特徴とする弾球遊技機。
【請求項２】
前記停止図柄態様は複数の図柄からなり、前記第１停止図柄は、前記停止図柄態様を構成する複数の図柄のうちの１つを構成することを特徴とする請求項１に記載の弾球遊技機。
【請求項３】
前記予め設定された複数の第１停止図柄は、複数の第２停止図柄に含まれていない図柄で構成されたことを特徴とする請求項１又は２に記載の弾球遊技機。
【発明の詳細な説明】
【技術分野】
【０００１】
本発明は弾球遊技機に関し、特に、図柄表示手段で表示される遊技図柄の変動後の停止図柄態様に含まれる、第１，第２停止図柄を夫々決定する第１，第２停止図柄決定手段を設け、第１停止図柄が特定態様専用の図柄と非特定態様専用の図柄とを含むものに関する。
【背景技術】
【０００２】
従来、パチンコ機やアレンジボール機等々、遊技盤の遊技領域に図柄始動手段と表示手段と開閉式入賞手段とを設けた弾球遊技機では、図柄始動手段に遊技球が入賞することを条件に、表示手段に複数の遊技図柄が変動表示され、この遊技図柄の変動後の停止図柄態様が特定態様になった場合に、開閉式入賞手段が開放して遊技者に有利な利益状態が発生する。
【０００３】
この種の弾球遊技機の制御装置には、主制御基板上に構成された主制御手段と、主制御基板に対して別基板構成の表示制御基板上に構成された図柄制御手段とが設けられ、主制御手段に設けた抽選手段により、図柄始動手段への遊技球の入賞に応じて「当り」／「外れ」の内部抽選が行われる。
【０００４】
この内部抽選の抽選結果に基づいて、図柄制御手段が表示手段を制御して表示手段に遊技図柄を変動させ、その遊技図柄の変動後の停止図柄態様として、「当り」の場合には特定態様（例えば、「０，０，０」〜「９，９，９」の同数字の３つの組合せの何れか）を表示させ、「外れ」の場合には非特定態様（特定態様以外の外れ態様であり、リーチ有り外れ態様とリーチ無し外れ態様とを含む）を表示させる。
【０００５】
例えば、表示手段には３つの（左、中、右）図柄表示部が設けられ、これらの図柄表示部に夫々左図柄と中図柄と右図柄が変動表示されるが、左、中、右の各図柄として夫々複数種類の遊技図柄（例えば、０〜９）が設定されている。一般に、主制御手段に停止図柄態様決定手段が設けられ、この停止図柄態様決定手段が抽選手段の抽選結果に基づいて前記停止図柄態様を決定する。（例えば、特許文献１参照）
【０００６】
従来、図柄表示制御に関しては、主制御手段が図柄制御手段に一連の図柄制御信号を出力して表示手段を間接的に制御している。即ち、主制御手段が図柄制御手段に、変動開始指令信号を出力して遊技図柄の変動を開始させ、高速、中速、低速の変動速度指令信号を出力して図柄変動速度を切換えさせ、左、中、右の図柄停止指令信号を出力して、停止図柄態様決定手段で決定された停止図柄態様となるように左、中、右の遊技図柄を停止させる。
【特許文献１】特開２００１−３２７６８２号公報
【発明の開示】
【発明が解決しようとする課題】
【０００７】
従来、一般的な弾球遊技機では、表示手段に表示される遊技図柄の変動後の停止図柄態様を決定する停止図柄態様決定手段が、主制御手段に設けられているため、その他遊技に関連する種々の制御を行う主制御手段の制御負荷が大きくなるという問題がある。
【０００８】
例えば、左、中、右の各図柄として夫々複数種類の遊技図柄（例えば、０〜９）が設定されているため、しかも、それらの停止図柄は特定態様の一部にも非特定態様の一部にもなり得る図柄であるため、前記停止図柄態様の種類が非常に多くなり、停止図柄態様決定手段が行う図柄決定処理の負荷が大きくなる。
【０００９】
また、左、中、右の各図柄として夫々複数種類の遊技図柄（例えば、０〜９）が設定され、それらの停止図柄は特定態様の一部にも非特定態様の一部にもなり得る図柄であることから、これら遊技図柄を表示手段に表示させる図柄制御手段の表示制御負荷が大きくなるという問題もある。
【００１０】
本発明の目的は、停止図柄決定手段を改善し、更には、停止図柄態様に含まれる第１停止図柄が、特定態様専用の図柄と非特定態様専用の図柄とを含むようにして、主制御手段の制御負荷を軽減すると共に、停止図柄態様を決定する図柄決定処理の負荷を軽減し、更には、図柄制御手段の表示制御負荷をも軽減することが可能で、遊技性も高めることが可能な弾球遊技機を提供することである。
【課題を解決するための手段】
【００１１】
請求項１の弾球遊技機は、複数の遊技図柄を変動表示する図柄表示手段と、この図柄表示手段で表示される遊技図柄の変動後の停止図柄態様を特定態様にするか否か抽選する抽選手段と、図柄表示手段により特定態様が表示された場合に遊技者に有利な利益状態を発生させる利益状態発生手段とを備えた弾球遊技機において、前記停止図柄態様は第１停止図柄と第２停止図柄とを有し、前記抽選手段の抽選結果に基づいて、前記遊技図柄の変動後の停止図柄態様を構成する第１，第２停止図柄を、予め設定された複数の第１，第２停止図柄の中から決定する第１，第２停止図柄決定手段を設け、前記予め設定された複数の第１停止図柄は、前記特定態様の一部となる特定態様専用の図柄と、前記特定態様以外の非特定態様の一部となる非特定態様専用の図柄のみで構成され、前記非特定態様専用の図柄は１種類の第１停止図柄からなり、その１種類の第１停止図柄は、最終的に非特定態様が確定する確定停止図柄であることを特徴とするものである。
【００１２】
請求項２の弾球遊技機は、請求項１の発明において、停止図柄態様は複数の図柄からなり、第１停止図柄は、前記停止図柄態様を構成する複数の図柄のうちの１つを構成することを特徴とするものである。
請求項３の弾球遊技機は、請求項１又は２の発明において、前記予め設定された複数の第１停止図柄は、複数の第２停止図柄に含まれていない図柄で構成されたことを特徴とするものである。
【発明の効果】
【００１３】
本願の弾球遊技機によれば、停止図柄態様は第１停止図柄と第２停止図柄とを有し、抽選手段の抽選結果に基づいて予め設定された複数の第１，第２停止図柄の中から決定する第１，第２停止図柄決定手段を設け、予め設定された複数の第１停止図柄は、特定態様の一部となる特定態様専用の図柄と、特定態様以外の非特定態様の一部となる非特定態様専用の図柄のみで構成され、非特定態様専用の図柄は１種類の第１停止図柄からなり、その１種類の第１停止図柄は、最終的に非特定態様が確定する確定停止図柄であり、更に、停止図柄態様は複数の図柄からなり、第１停止図柄は、停止図柄態様を構成する複数の図柄のうちの１つを構成し、予め設定された複数の第１停止図柄は、複数の第２停止図柄に含まれていない図柄で構成されたので、主制御手段の制御負荷を軽減すると共に、停止図柄態様を決定する図柄決定処理の負荷を軽減し、更には、図柄制御手段の表示制御負荷をも軽減することが可能で、遊技性も高めることが可能になる。
【発明を実施するための最良の形態】
【００１４】
本発明の弾球遊技機は、複数の遊技図柄を変動表示する図柄表示手段と、この図柄表示手段で表示される遊技図柄の変動後の停止図柄態様を特定態様にするか否か抽選する抽選手段と、図柄表示手段により特定態様が表示された場合に遊技者に有利な利益状態を発生させる利益状態発生手段とを備えた弾球遊技機において、停止図柄態様は第１停止図柄と第２停止図柄とを有し、抽選手段の抽選結果に基づいて、遊技図柄の変動後の停止図柄態様を構成する第１，第２停止図柄を、予め設定された複数の第１，第２停止図柄の中から決定する第１，第２停止図柄決定手段を設け、予め設定された複数の第１停止図柄は、前記特定態様の一部となる特定態様専用の図柄と、特定態様以外の非特定態様の一部となる非特定態様専用の図柄のみで構成され、非特定態様専用の図柄は１種類の第１停止図柄からなり、その１種類の第１停止図柄は、最終的に非特定態様が確定する確定停止図柄である。
【実施例】
【００１５】
以下、本発明の実施の形態について図面を参照しながら説明する。本実施形態は、遊技ホールの島構造体に設置される所謂第１種パチンコ機に、本発明を適用した場合の一例である。
図１〜図３に示すように、パチンコ機１は、矩形枠状の外枠３と、外枠３に開閉自在に枢着された前枠４を有し、外枠３が遊技ホールの島構造体に着脱自在に装着される。パチンコ機１の左側にカード式貸出し装置２が隣接するように設置され、このパチンコ機１とカード式貸出し装置２とが電気的に接続されている。
【００１６】
パチンコ機１の前枠４には、遊技盤５が裏側から着脱自在に装着され、この遊技盤５の前側に窓部６ａを有するガラス扉６が開閉自在に枢着されている。このガラス扉６の下側に遊技球を収容する上皿８を取付けた前面板７が開閉自在に枢着され、前枠４において前面板７の下側部分に、上皿８から溢流し又は抜き取った遊技球を収容する下皿９が固定的に設けられている。この下皿９の右側に発射手段１０の発射ハンドル１１が取付けられている。
【００１７】
発射手段１０は、発射ハンドル１１、発射モータ１２、打撃槌１３等を備えている。遊技者が発射ハンドル１０を回動操作すると、発射モータ１２が駆動されて打撃槌１３が作動し、その打撃槌１３により上皿８から供給される遊技球が１個ずつ打撃されて遊技盤５の遊技領域５ａに発射される。尚、発射ハンドル１１の回動操作角度を調節することにより、打撃槌１３が遊技球を打撃する打撃力、つまり遊技球の発射速度を調節することができる。
【００１８】
ここで、図１に示すように、カード式貸出し装置２にはカード挿入口２ａが形成され、このカード挿入口２ａから球貸し専用の球貸カード（図示略）を挿入し、その球貸カードに記録されている度数分の遊技球の貸出しを、パチンコ機１の操作パネル１４を用いて行うことができる。
【００１９】
操作パネル１４は上皿８の右前面部に設けられ、この操作パネル１４に、カード式貸出し装置２に挿入されている球貸カードの度数残高を表示する残高表示部１４ａと、カード式貸出し装置１に所定度数分の遊技球の貸出しを指令する為に操作する貸出スイッチ１４ｂと、カード式貸出し装置１に挿入されている球貸カードの返却を指令する為に操作する返却スイッチ１４ｃが設けられている。
【００２０】
図４に示すように、遊技盤５には外レールと内レールとからなるガイドレール１５がほぼ環状に設けられ、このガイドレール１５の内側に遊技領域５ａが形成され、前記発射手段１０により発射された遊技球は、ガイドレール１５にガイドされて遊技領域５ａの上部側に投入される。尚、遊技盤５の少なくとも遊技領域５ａが、ガラス扉６の窓部６ａから眺められるようになっている。
【００２１】
この遊技領域５ａには、多数の障害釘の他に、複数の普通入賞手段１９、特別図柄始動手段２０、大入賞手段２１、普通図柄始動手段２２、表示手段２３等が、図示の配置で設けられている。
【００２２】
複数の普通入賞手段１９、特別図柄始動手段２０、大入賞手段２１、普通図柄始動手段２２は、夫々、遊技球を検出する球検出センサを有し、これらのうち、普通入賞手段１９と特別図柄始動手段２０と大入賞手段２１に遊技球が入賞すると、払出手段３５により賞として所定数の遊技球（例えば、普通入賞手段１９と大入賞手段２１への入賞による賞球は１５個で、特別図柄始動手段２０への入賞による賞球は１５個よりも少ない５個）が払出される。
【００２３】
特別図柄始動手段２０は左右に開閉する１対の開閉爪２０ａを有する所謂電動チューリップである。１対の開閉爪２０ａが実線で示す閉位置と鎖線で示す開位置とに亙って開閉し、これら開閉爪２０ａが閉位置のときよりも開位置の方が、特別図柄始動手段２０に遊技球が入賞し易くなる。通常時、１対の開閉爪２０ａは閉位置に保持されている。
【００２４】
表示手段２３はＬＣＤ（液晶ディスプレイ）からなり、この表示手段２３に３つの（左，中，右）特別図柄表示部２３ａ〜２３ｃが設けられている。特別図柄始動手段２０への遊技球の入賞を条件に、例えば、左特別図柄表示部２３ａと右特別図柄表示部２３ｃには夫々複数の特別図柄（例えば、「０」〜「９」の１０種類の遊技図柄）が変動表示され、中特別図柄表示部２３ｂには複数の特別図柄（例えば、「◎」、「○」、「×」の３種類の遊技図柄）が変動表示される。
【００２５】
大入賞手段２１は前後に開閉する開閉板２１ａを有し、内部には特定領域２１ｂが設けられている。開閉板２１ａが閉位置のときに大入賞手段２１に遊技球が入賞することはなく、開閉板２１ａが開位置のときに大入賞手段２１に遊技球が入賞し易くなる。通常時、開閉板２１ａは閉位置に保持されている。
【００２６】
さて、特別図柄表示部２３ａ〜２３ｃに表示される特別図柄の変動後の停止図柄態様が特定態様（例えば、「Ｘ◎Ｘ」又は「Ｘ○Ｘ」，Ｘ＝０〜９の何れか）になった場合に、遊技者に有利な特別遊技が発生する。すると、開閉板２１ａが開位置に切り換わって遊技者に有利な利益状態が発生し、その特別入賞手段２１に所定数（例えば、10個）の遊技球が入賞するか所定時間（例えば、30秒）経過すると、開位置の開閉板２１ａが閉位置に切換わる。
【００２７】
このようなラウンドが最大で所定回（例えば、15回）継続可能となり、各ラウンド中に、遊技球が大入賞手段２１内の特定領域２１ｂを通過すれば次のラウンドへ移行可能となり、遊技球が特定領域２１ｂを通過しなければそのラウンドと共に特別遊技が終了する。  
【００２８】
普通図柄始動手段２２は遊技球が通過可能なゲート型に構成され、この普通図柄始動手段２２を遊技球が通過すると、表示手段２３に設けられた２つの（左，右）普通図柄表示部２３ｄ，２３ｅに夫々複数の普通図柄が変動表示され、これら普通図柄の変動後の停止図柄態様が特定態様（例えば、「７７」等）になると、特別図柄始動手段２０の１対の開閉爪２０ａが例えば 0.2秒間だけ開放する。
【００２９】
さて、図２、図３に示すように、前枠４の裏側には、遊技盤５を裏側から押える裏機構板３０が着脱可能に複数の係止具３０ａ等で装着されている。裏機構板３０には開口部３０ｂが形成され、その開口部３０ｂの上側に賞球タンク３３と、この賞球タンク３３から延びるタンクレール３４とが固定されている。
【００３０】
裏機構板３０の開口部３０ｂの左側には、タンクレール３４の下流端に接続された払出手段３５が固定的に設けられ、この払出手段３５には通路ユニット３６が接続されている。島構造体側の遊技球が賞球タンク３３とタンクレール３４を介して払出手段３５に供給され、払出手段３５はその遊技球を必要に応じて賞として払出す。このとき、払出手段３５からの遊技球は通路ユニット３６を経由して上皿８に払出され、上皿８が満杯の場合には下皿９に払出される。
【００３１】
遊技盤５の中央部分の裏側には裏カバー３７が固定的に設けられ、その裏カバー３７が裏機構板３０の開口部３０ｂに嵌合している。この裏カバー３７に固定されたケース３８の内部に主制御基板３９が設けられ、その前側に表示制御基板４０が設けられている。主制御基板３９の下側において裏カバー３７に固定されたケース４１ａの内部にランプ制御基板４２が設けられ、このケース４１ａの左側に固定されたケース４１ｂの内部にサウンド制御基板４３が設けられている。
【００３２】
裏機構板３０の開口部３０ｂの下側にケース４４が固定され、そのケース４４の内部に電源基板４５と払出制御基板４６が設けられている。発射モータ１２の後側において、前枠４に固定されたケース４７の内部に発射制御基板４８が設けられている。このように、基板３９、４０，４２，４３，４５，４６，４８は夫々別基板で構成され、電源基板４５と発射制御基板４８を除く制御基板３９、４０，４２，４３，４６には、ＣＰＵとＲＯＭやＲＡＭ等を有するマイクロコンピュータが夫々設けられている。
【００３３】
主制御基板３９とその他の副制御基板４０，４２，４３，４６とは、複数本の信号線等を介して電気的に接続され、主制御基板３９から副制御基板４０，４２，４３，４６に、遊技に関する制御を実行させる為の種々の制御信号として、制御情報を簡略化したコマンド信号が一方向通信にて送信出力される。
【００３４】
次に、パチンコ機１の前記制御基板３９、４０，４２，４３，４６を含む制御装置に予め格納されている複数の制御プログラムに基づいて達成される種々の機能について、図５の機能ブロック図に基づいて説明する。但し、これら種々の機能は前述のマイクロコンピュータ等で達成される。
【００３５】
尚、主制御基板３９上に主制御手段５０が構成され、表示制御基板４０上に図柄制御手段６０が構成され、ランプ制御基板４２上にランプ制御手段６５が構成され、サウンド制御基板４３上にサウンド制御手段６６が構成され、払出制御基板４６上に払出制御手段６７が構成され、発射制御基板４８上に発射制御手段６８が構成されている。
【００３６】
主制御手段５０は、抽選手段５１、抽選結果判定手段５２、利益状態発生手段５３、第１停止図柄決定手段５４、確率変動手段５５、変動時間決定手段５６、コマンド出力手段５７等を備えている。
【００３７】
抽選手段５１は、例えば、抽選用カウンタを用いて微小な更新周期（約２msec周期）毎に抽選用の数値を「１」ずつカウントアップして所定の範囲（０〜299 ）で更新し、保留球の数が４未満の場合に、特別図柄始動手段２０に遊技球が入賞した時の抽選用数値を取得する。尚、保留球とは、特別図柄始動手段２０に入賞した遊技球のうち、特別図柄の変動に供していない遊技球である。
【００３８】
抽選結果判定手段５２は、例えば、所定の判定テーブルを用いて、抽選手段５１で取得した抽選用数値に対する結果を判定する。1/300 の確率で特定数値（例えば、「７」）を取得したときに「大当り」と判定し、299/300 の確率で外れ数値（例えば、「７」以外の「０」〜「２９９」の何れか）を取得したときに「外れ」と判定し、「外れ」と判定された場合には、別途抽選が行われて1/10の確率で「リーチ有り外れ」と判定し9/10の確率で「リーチ無し外れ」と判定する。
【００３９】
ここで、特別図柄表示部２３ａ〜２３ｃに夫々表示される特別図柄の変動後の停止図柄態様を「ＡＢＣ」とした場合に、中停止図柄であるＢを第１停止図柄とし、左停止図柄であるＡと右停止図柄であるＣを夫々第２停止図柄とする。本実施形態では、第１停止図柄のＢは「◎」、「○」、「×」の何れかであり、第２停止図柄のＡとＣは夫々「０」〜「９」の何れかである。「◎」と「○」は価値の異なる特定態様専用の図柄とされ、特定態様としては、「Ｘ◎Ｘ」又は「Ｘ○Ｘ」（Ｘ＝０〜９の何れか）が予め設定され、非特定態様として、「Ｘ×Ｙ」（Ｘ，Ｙ＝０〜９の何れか）が予め設定されている。
【００４０】
つまり、停止図柄態様「ＡＢＣ」は第１停止図柄のＢと第２停止図柄のＡとＣとを含み、この停止図柄態様「ＡＢＣ」を構成する第１停止図柄の数（中停止図柄の１つ）と第２停止図柄の数（左停止図柄と右停止図柄の２つ）とを異ならせている。第１停止図柄のＢは最終的に停止が確定する確定停止図柄であり、その第１停止図柄Ｂは、特定態様専用の図柄（「◎」、「○」）と非特定態様専用の図柄（「×」）の３種類の図柄からなる。
【００４１】
利益状態発生手段５３は、抽選結果判定手段５２からの判定結果を受けて「大当り」の場合に、特別図柄表示部２３ａ〜２３ｃに表示される特別図柄の変動停止後の停止図柄態様が特定態様になった場合に、前述のように、大入賞手段１８の開閉板１８ａを開放させて遊技者に有利な利益状態を発生させる。ここで、前記抽選手段５１は、特別図柄表示部２３ａ〜２３ｃに表示される特別図柄の変動後の停止図柄態様を特定態様にするか否か抽選するものでもある。
【００４２】
第１停止図柄決定手段５４は、抽選手段５１の抽選結果に基づいて、抽選結果判定手段５２の判定結果を受け、第１停止図柄を「◎」と「○」と「×」の何れかに決定する。「大当り」の場合には1/2 の確率の抽選を行って「◎」又は「○」に決定し、「外れ」の場合には「×」に決定する。
【００４３】
確率変動手段５５は、「大当り」の場合に第１停止図柄決定手段５４で決定された第１停止図柄が「◎」の場合、例えば、今回の特別遊技の終了時から次回の特別遊技の開始時まで作動し、抽選手段５１で特定数値を取得して抽選結果判定手段５２で「大当り」と判定する確率を変動（例えば、1/300 →1/60）させる。また、確率変動手段５５は、普通図柄の変動時間を短縮（例えば、30秒→ 5秒）させ、普通図柄の停止図柄態様が特定態様になった場合の特別図柄始動手段２０の開放時間を増大（例えば、 0.2秒→２秒）させる。  
【００４４】
変動時間決定手段５６は、抽選手段５１の抽選結果に基づいて、抽選結果判定手段５２の判定結果を受け、表示手段２３の特別図柄表示部２３ａ〜２３ｃで表示される特別図柄の変動パターンの変動時間を決定する。
【００４５】
図６に示すように、本実施形態の場合、変動時間として、Ａ（１０秒）、Ｂ（２０秒）、Ｃ（３０秒）、Ｄ（４０秒）、Ｅ（５秒）、Ｆ（１５秒）の６つの変動時間が用意されており、変動時間決定手段５６は、「大当り」のときにはＡ〜Ｄの何れかを、「リーチ有り外れ」のときにはＡ〜Ｆの何れかを、「リーチ無し外れ」のときにはＡ、Ｅ、Ｆの何れかを、夫々抽選により決定する。
【００４６】
コマンド出力手段５７は、図柄制御手段６０、ランプ制御手段６５、サウンド制御手段６６、払出制御手段６７に必要に応じて夫々制御コマンドを送信出力する。特に、図７に示すように、主制御手段５０から図柄制御手段６０には、制御コマンドとして、当り／外れコマンド、変動時間コマンド、変動停止コマンドが適当なタイミングで送信出力される。
【００４７】
当り／外れコマンドは、抽選結果判定手段５２の判定結果に基づいて、更にその判定結果が「大当り」の場合には第１停止図柄決定手段５４で決定された第１停止図柄に基づいて設定される。図８に示すように、当り／外れコマンドとして、「大当り」で且つ第１停止図柄が「◎」の「確率変動大当り」の場合には４２〔Ｈ〕が設定され、「大当り」で且つ第１停止図柄が「○」の「非確率変動大当り」の場合には４３〔Ｈ〕が設定され、「リーチ有り外れ」の場合には４４〔Ｈ〕が設定され、「リーチ無し外れ」の場合には４５〔Ｈ〕が設定され、夫々主制御手段５０から図柄制御手段６０へ出力される。
【００４８】
変動時間コマンドは、変動時間決定手段５６で決定された変動時間に基づいて設定される。図９に示すように、変動時間コマンドとして、Ａ（１０秒）の場合には０１〔Ｈ〕が設定され、Ｂ（２０秒）の場合には０２〔Ｈ〕が設定され、Ｃ（３０秒）の場合には０３〔Ｈ〕が設定され、Ｄ（４０秒）の場合には０４〔Ｈ〕が、Ｅ（５秒）の場合には０５〔Ｈ〕が設定され、Ｆ（１５秒）の場合には０６〔Ｈ〕が設定、夫々主制御手段５０から図柄制御手段６０へ出力される。
【００４９】
さて、図５に示すように、図柄制御手段６０は、第２停止図柄決定手段６１、変動パターン記憶手段６２、変動パターン選択手段６３等を備えている。
第２停止図柄決定手段６１は、主制御手段５０から送信されてくる当り／外れコマンドに基づいて、第２停止図柄である左停止図柄と、同じく第２停止図柄である右停止図柄とを決定する手段であり、左停止図柄と右停止図柄を夫々乱数抽選にて決定する停止図柄抽選機能を有する。
【００５０】
第２停止図柄決定手段６１により、左停止図柄と右停止図柄を夫々決定する図柄決定処理について図１１のテーブルを参照して説明する。この第２停止図柄決定手段６１は、左停止図柄決定用の抽選用カウンタと右停止図柄決定用の抽選用カウンタを有する。左停止図柄決定用の抽選用カウンタは、微小な更新周期（約２msec周期）毎に抽選用数値を「１」ずつカウントアップして０〜９の範囲で更新し、右停止図柄決定用の抽選用カウンタは、微小な更新周期（約２msec周期）毎に抽選用数値を「１」ずつカウントアップして０〜８の範囲で更新する。
【００５１】
「確率変動大当り」の場合に第１停止図柄である中停止図柄が「◎」となり、「非確率変動大当り」の場合に「○」となり、「リーチ有り外れ」の場合に「×」となるが、これら「確率変動大当り」と「非確率変動大当り」と「リーチ有り外れ」の全ての場合、左停止図柄については、例えば、当り／外れコマンドを受信したときのタイミングで左図柄用の抽選用カウンタの抽選用数値を抽出し、その抽選用数値の数の図柄に決定し、次に、右停止図柄について、左停止図柄と同じ数の図柄に決定する。
【００５２】
また、「リーチ無し外れ」の場合に中停止図柄は「×」となるが、左停止図柄については、例えば、当り／外れコマンドを受信したときのタイミングで左図柄用の抽選用カウンタの抽選用数値を抽出し、その抽選用数値の数の図柄に決定し、次に、右停止図柄について、例えば、当り／外れコマンドを受信したときのタイミングで右図柄用の抽選用カウンタの抽選用数値を抽出し、その抽選用数値で決まる差分値を左停止図柄の数に加算した数の図柄に決定する。但し、加算した数が２桁になる場合には下１桁の数となる右停止図柄を決定する。
【００５３】
図１２に示すように、変動パターン記憶手段６２には、表示手段２３の特別図柄表示部２３ａ〜２３ｃに表示される特別図柄の変動パターンが複数種類（変動パターン１、変動パターン２、変動パターン３・・・）記憶されている。これら複数種類の変動パターン（変動パターン１、変動パターン２、変動パターン３・・・）は、少なくとも変動時間（Ａ（１０秒）、Ｂ（２０秒）、Ｃ（３０秒）、Ｄ（４０秒）、Ｅ（５秒）、Ｆ（１５秒））によって分類することができる。尚、このように、特定態様となる場合の変動時間と非特定態様となる変動時間とが同一となる変動パターンを設けることにより制御負荷の軽減が可能となる。
【００５４】
変動パターン選択手段６３は、主制御手段５０から送信されてくる少なくとも変動時間コマンドに基づいて、変動パターン記憶手段６２に記憶された複数種類の変動パターンの内の何れかを抽選にて選択する。ここでの抽選においては、変動パターン記憶手段６２には変動時間が同じ複数種類の変動パターンが複数組記憶されており、変動時間決定手段５６で決定された変動時間となる複数種類の変動パターンのうちの何れかを選択する為の抽選である。
【００５５】
さて、図柄制御手段６０は、第１停止図柄決定手段５４で決定された第１停止図柄（中停止図柄）と、第２停止図柄決定手段６１で決定された第２停止図柄（左停止図柄と右停止図柄）と、変動パターン選択手段６３で選択された変動パターンとに基づいて表示手段２３を制御し、その変動パターンで特別図柄表示部２３ａ〜２３ｃに複数の特別図柄を変動表示させ、その後、左図柄→右図柄→中図柄と停止させて、左停止図柄と中停止図柄と右停止図柄とからなる停止図柄態様を表示させる。尚、表示手段２３と図柄制御手段６０が複数の遊技図柄を変動表示する図柄表示手段に相当する。
【００５６】
このパチンコ機１の作用・効果について説明する。
抽選手段５１の抽選結果に基づいて第１停止図柄を決定する第１停止図柄決定手段５４と、第２停止図柄を決定する第２停止図柄決定手段６１とを設け、第１停止図柄決定手段５４を主制御基板３９上に構成し、第２停止図柄決定手段６１を主制御基板３９に対して別基板構成の表示制御基板４０上に構成した。
【００５７】
抽選手段５１の抽選結果に基づいて行う停止図柄決定処理を主制御手段５０と図柄制御手段６０とに分担することができる。停止図柄態様に含まれる第１停止図柄は最終的に停止が確定する確定停止図柄であり、その第１停止図柄は、特定態様専用の図柄（「◎」、「○」）と非特定態様専用の図柄（「×」）とからなるので、第１停止図柄決定手段５４が行う第１停止図柄の決定処理負荷を軽減でき、結局、主制御手段５０の制御負荷を軽減することができる。
【００５８】
しかも、第２停止図柄決定手段６１が行う第２停止図柄の決定処理負荷も軽減できるため、図柄制御手段６０の制御負荷を抑えることができ、停止図柄態様を決定する全体的な処理負荷を軽減することができる。また、図柄制御手段６０の表示制御負荷をも軽減することが可能となる。
【００５９】
第２停止図柄決定手段６１は、第２停止図柄を乱数抽選にて決定する停止図柄抽選機能を有するので、第２停止図柄を決定する偏りをなくし、抽選手段５１の抽選結果に応じて表示可能な停止図柄のうちの何れかをばらつかせて決定することができ、停止図柄態様を決定する自由度を大きくすることができる。
【００６０】
変動パターン記憶手段６２と変動パターン選択手段６３とを表示制御基板４０上に構成したので、変動パターン選択処理も図柄制御手段６０に分担させ実行させることができ、主制御手段５０の制御負荷を一層軽減することができる。この場合も、主制御基板３９上に構成した変動時間決定手段５６で決定された変動時間の変動時間情報（変動時間コマンド）に基づいて、変動パターン選択手段６３が的確に変動パターンを選択することができる。
【００６１】
次に、変更形態について説明する。但し、前記実施形態と同じものには同一符号を付して説明する。
１〕前記停止図柄態様の第１停止図柄については、種々の図柄を適用してもよい。前記実施形態では、第１停止図柄の、特定態様専用の図柄として「◎」と「○」、非特定態様専用の図柄として「×」のような記号を適用しているが、例えば、特定態様専用の図柄として「Super Lucky 」と「Lucky 」、非特定態様専用の図柄として「−」、等々のような文字情報を適用できる。また、第１停止図柄として、種々のキャラクタを適用してもよいし、背景色と同一の又は異なる色情報を含むものとしてもよい。第１停止図柄としてキャラクタを適用する場合、異なる２種類のキャラクタを特定態様専用の図柄と非特定態様専用の図柄としてもよい。第１停止図柄として色情報を含むものとした場合、同一の図柄で色を異ならせることにより、特定態様専用の図柄と非特定態様専用の図柄を構成することができ、また、色情報のみで第１停止図柄を構成することも可能である。
【００６２】
２〕前記停止図柄態様の第２停止図柄についても、種々の図柄を適用してもよい。例えば、第２停止図柄に、第１停止図柄として適用される特定態様専用の図柄「◎」や「○」を含ませてもよいし、非特定態様専用の図柄として「×」を含ませることも可能である。
【００６３】
３〕第１停止図柄が、特定態様専用の図柄（「◎」、「○」）と非特定態様専用の図柄（「×」）とだけからなる前記実施形態に対して、特定態様専用の図柄（「◎」、「○」）と非特定態様専用の図柄（「×」）と共に、第２停止図柄の図柄「０」〜「９」等を含ませたものとしてもよい。
【００６４】
４〕図１３に示すように、当り外れコマンドと変動時間コマンドを一纏めにした図柄制御コマンドを設定し、その図柄制御コマンドを主制御手段５０から図柄制御手段６０へ送信出力してもよい。
５〕図示していないが、主制御基板３９に対して別基板構成の演出制御基板であり、図柄変動等の表示やランプや音声の制御を総括的に行う副制御基板である演出制御基板を設け、その演出制御基板上に第２停止図柄決定手段６１等を構成してもよい。
【００６５】
６〕表示制御について、リーチになった場合には、中図柄だけが変動させることになるが、このリーチ継続期間中に、「大当り」が確定している場合には、中図柄の「×」を消去して「◎」と「○」のみを上下又は左右にスクロール的に変動させてもよい。これにより、遊技者は大当りであることを確信することができる。また、「確率変動大当り」が確定している場合には確率変動専用の図柄（「◎」）のみを変動させ、「非確率変動大当り」が確定している場合には非確率変動専用の図柄（「○」）のみを変動させるようにしてもよい。第１停止図柄は最終的に確定表示させるようにすればよく、例えば、「７，７，７」を所定時間表示させた後に、特定態様専用の図柄（「◎」、「○」）と非特定態様専用の図柄（「×」）を含ませて図柄を確定表示させてもよい。
【００６６】
７〕前記第１停止図柄は、特定態様専用の図柄と非特定態様専用の図柄の少なくとも２種類の図柄からなることを前提に、第１停止図柄決定手段を主制御基板上に構成し、第２停止図柄決定手段を副制御基板（表示制御基板）上に構成することは必須ではない。例えば、第１，第２停止図柄決定手段を纏めて主制御基板上又は副制御基板上に構成してもよい。
【００６７】
８〕本発明の趣旨を逸脱しない範囲において、その他種々の変更を付加して実施することも可能であるし、所謂第２種パチンコ機や第３種パチンコ機、アレンジボール機等々の弾球遊技機にも勿論適用することができる。
【図面の簡単な説明】
【００６８】
【図１】本発明の実施の形態に係るパチンコ機の斜視図である。
【図２】パチンコ機の側面図である。
【図３】パチンコ機の背面図である。
【図４】遊技盤の正面図である。
【図５】パチンコ機の制御系を含む機能ブロック図である。
【図６】複数の変動時間を示す図表である。
【図７】主制御手段から図柄制御手段へ出力されるコマンドを示す図である。
【図８】当り／外れの情報を含む複数のコマンドを示す図表である。
【図９】変動時間の情報を含む複数のコマンドを示す図表である。
【図１０】左、中、右図柄の夫々の種類を示す模式図である。
【図１１】停止図柄決定用テーブルである。
【図１２】変動パターン記憶手段のデータ構成図である。
【図１３】変更形態に係る図柄制御コマンドを示す図表である。
【符号の説明】
【００６９】
１          パチンコ機
２３        表示手段
３９        主制御基板
４０        表示制御基板
５０        主制御手段
５１        抽選手段
５３        利益状態発生手段
５４        第１停止図柄決定手段
５６        変動時間決定手段
６０        図柄制御手段
６１        第２停止図柄決定手段
６２        変動パターン記憶手段
６３        変動パターン選択手段
【図１】
2004305780.tif 000003
【図２】
2004305780.tif 000004
【図３】
2004305780.tif 000005
【図４】
2004305780.tif 000006
【図５】
2004305780.tif 000007
【図６】
2004305780.tif 000008
【図７】
2004305780.tif 000009
【図８】
2004305780.tif 000010
【図９】
2004305780.tif 000011
【図１０】
2004305780.tif 000012
【図１１】
2004305780.tif 000013
【図１２】
2004305780.tif 000014
【図１３】
2004305780.tif 000015